(57)【特許請求の範囲】
【請求項１】
複数の画像形成装置と通信することが可能なコンピュータの制御プログラムであって、
前記制御プログラムは、前記コンピュータに、
印刷要求を受け付けるステップと、
前記コンピュータのユーザーの健康状態を表わす指標を取得するステップと、
前記ユーザーの現在位置を取得するステップと、
前記複数の画像形成装置の各々の設置場所を取得するステップと、
前記ユーザーが動くことを推奨する予め定められた条件を前記指標が満たした場合に、前記現在位置と前記複数の画像形成装置の各々の設置場所とに基づいて、前記複数の画像形成装置の中から、前記現在位置から相対的に遠い場所に設置されている画像形成装置を前記印刷要求の出力先として決定するステップと、
前記出力先として決定された画像形成装置に前記印刷要求を送信するステップとを実行させる、制御プログラム。
【請求項２】
前記指標は、前記ユーザーの現在から過去一定期間の歩数を含み、
前記予め定められた条件は、前記歩数が予め定められた歩数よりも少ない場合に満たされる、請求項１に記載の制御プログラム。
【請求項３】
前記指標は、前記ユーザーの現在の集中度合いを含み、
前記予め定められた条件は、前記集中度合いが予め定められた値よりも低い場合に満たされる、請求項１または２に記載の制御プログラム。
【請求項４】
前記決定するステップは、
前記出力先として決定された画像形成装置が印刷禁止対象として設定されている場合には、当該出力先として決定された画像形成装置の次に前記現在位置から遠い場所に設置されている画像形成装置を前記印刷要求の出力先として決定し直すステップをさらに含む、請求項１〜３のいずれか１項に記載の制御プログラム。
【請求項５】
前記制御プログラムは、前記コンピュータに、
ファイルの印刷指示を受け付けた場合に、当該ファイルの内容に基づいて、当該ファイルが秘匿であるか否かを判断するステップをさらに実行させ、
前記決定するステップは、前記ファイルが秘匿であると判断された場合には、前記予め定められた条件が満たされたか否かに関わらず、前記現在位置から予め定められた範囲内に設置されている画像形成装置を前記印刷要求の出力先として決定するステップを含む、請求項１〜４のいずれか１項に記載の制御プログラム。
【請求項６】
前記制御プログラムは、前記コンピュータに、
前記現在位置から前記出力先の画像形成装置までのルートを表示するステップをさらに実行させる、請求項１〜５のいずれか１項に記載の制御プログラム。
【請求項７】
前記コンピュータは、前記ユーザーに装着され得るウェアラブル端末と通信することができ、
前記ウェアラブル端末は、
前記ユーザーの現在位置を検知することができ、
前記ユーザーの体調を表わす指標を検知することができる、
前記指標を取得ステップは、前記ウェアラブル端末から前記指標を取得することを含み、
前記現在位置を取得ステップは、前記ウェアラブル端末から前記現在位置することを含む、請求項１〜６のいずれか１項に記載の制御プログラム。
【請求項８】
複数の画像形成装置と通信することが可能なコンピュータの制御方法であって、
印刷要求を受け付けるステップと、
前記コンピュータのユーザーの健康状態を表わす指標を取得するステップと、
前記ユーザーの現在位置を取得するステップと、
前記複数の画像形成装置の各々の設置場所を取得するステップと、
前記ユーザーが動くことを推奨する予め定められた条件を前記指標が満たした場合に、前記現在位置と前記複数の画像形成装置の各々の設置場所とに基づいて、前記複数の画像形成装置の中から、前記現在位置から相対的に遠い場所に設置されている画像形成装置を前記印刷要求の出力先として決定するステップと、
前記出力先として決定された画像形成装置に前記印刷要求を送信するステップとを備える、制御方法。
【請求項９】
複数の画像形成装置と通信することが可能なコンピュータの通信端末であって、
印刷要求を受け付ける受付部と、
前記コンピュータのユーザーの健康状態を表わす指標を取得する指標取得部と、
前記ユーザーの現在位置を取得する第１位置取得部と、
前記複数の画像形成装置の各々の設置場所を取得する第２位置取得部と、
前記ユーザーが動くことを推奨する予め定められた条件を前記指標が満たした場合に、前記現在位置と前記複数の画像形成装置の各々の設置場所とに基づいて、前記複数の画像形成装置の中から、前記現在位置から相対的に遠い場所に設置されている画像形成装置を前記印刷要求の出力先として決定する決定部と、
前記出力先として決定された画像形成装置に前記印刷要求を送信する通信部とを備える、通信端末。
【発明の詳細な説明】
【技術分野】
【０００１】
本開示は、コンピュータの制御に関し、特に、複数の画像形成装置と通信することが可能なコンピュータの制御に関する。
【背景技術】
【０００２】
デスクワークなどに従事する人物は、長時間いすに座り続けるため、運動不足になりがちである。運動不足は、生活習慣病の一因になっている。また、座っている状態が長時間続くと、仕事に対する集中力やモチベーションが低下し、作業効率が落ちる。そのため、定期的に動くことが推奨されている。
【０００３】
近年、運動不足などの健康状態の異常を報知するための装置が普及している。当該装置に関し、特開２０１２−８５９０６号公報（特許文献１）は、人物の健康状態を監視し、測定された健康状態に応じて、測定結果の報知方法を変える生体監視装置を開示している。
【先行技術文献】
【特許文献】
【０００４】
【特許文献１】特開２０１２−８５９０６号公報
【発明の概要】
【発明が解決しようとする課題】
【０００５】
パソコンなどのコンピュータは、ユーザーから印刷指示を受け付けると、ＭＦＰ（Multi-Functional  Peripheral）などの画像形成装置に印刷要求を送信する。画像形成装置は、印刷要求を受信すると、印刷処理を実行する。ユーザーが出力先の画像形成装置まで歩くことで、運動不足がある程度解消される。また、出力先の画像形成装置まで歩くことは、気分転換にもなる。
【０００６】
出力先の画像形成装置が複数存在する場合には、ユーザーは、複数の画像形成装置の中から出力先の画像形成装置を選択することができる。このとき、離れた場所にある画像形成装置が出力先に設定されると、ユーザーの歩行距離が長くなり、運動不足が解消される。一方で、運動不足ではない人物については、離れた場所にある画像形成装置が印刷出力先に設定される必要がない。したがって、ユーザーの健康状態に合わせて出力先の画像形成装置を変更することが可能な技術が望まれている。
【０００７】
本開示は上述のような問題点を解決するためになされたものであって、ある局面における目的は、ユーザーの健康状態に合わせて出力先の画像形成装置を変更することが可能なコンピュータの制御プログラムを提供することである。他の局面における目的は、ユーザーの健康状態に合わせて出力先の画像形成装置を変更することが可能なコンピュータの制御方法を提供することである。さらに他の局面における目的は、ユーザーの健康状態に合わせて出力先の画像形成装置を変更することが可能な通信端末を提供することである。
【課題を解決するための手段】
【０００８】
ある局面に従うと、複数の画像形成装置と通信することが可能なコンピュータの制御プログラムは、上記コンピュータに、印刷要求を受け付けるステップと、上記コンピュータのユーザーの健康状態を表わす指標を取得するステップと、上記ユーザーの現在位置を取得するステップと、上記複数の画像形成装置の各々の設置場所を取得するステップと、上記ユーザーが動くことを推奨する予め定められた条件を上記指標が満たした場合に、上記現在位置と上記複数の画像形成装置の各々の設置場所とに基づいて、上記複数の画像形成装置の中から、上記現在位置から相対的に遠い場所に設置されている画像形成装置を上記印刷要求の出力先として決定するステップと、上記出力先として決定された画像形成装置に上記印刷要求を送信するステップとを実行させる。
【０００９】
好ましくは、上記指標は、上記ユーザーの現在から過去一定期間の歩数を含む。上記予め定められた条件は、上記歩数が予め定められた歩数よりも少ない場合に満たされる。
【００１０】
好ましくは、上記指標は、上記ユーザーの現在の集中度合いを含む。上記予め定められた条件は、上記集中度合いが予め定められた値よりも低い場合に満たされる。
【００１１】
好ましくは、上記決定するステップは、上記出力先として決定された画像形成装置が印刷禁止対象として設定されている場合には、当該出力先として決定された画像形成装置の次に上記現在位置から遠い場所に設置されている画像形成装置を上記印刷要求の出力先として決定し直すステップをさらに含む。
【００１２】
好ましくは、上記制御プログラムは、上記コンピュータに、ファイルの印刷指示を受け付けた場合に、当該ファイルの内容に基づいて、当該ファイルが秘匿であるか否かを判断するステップをさらに実行させる。上記決定するステップは、上記ファイルが秘匿であると判断された場合には、上記予め定められた条件が満たされたか否かに関わらず、上記現在位置から予め定められた範囲内に設置されている画像形成装置を上記印刷要求の出力先として決定するステップを含む。
【００１３】
好ましくは、上記制御プログラムは、上記コンピュータに、上記現在位置から上記出力先の画像形成装置までのルートを表示するステップをさらに実行させる。
【００１４】
好ましくは、上記コンピュータは、上記ユーザーに装着され得るウェアラブル端末と通信することができる。上記ウェアラブル端末は、上記ユーザーの現在位置を検知することができ、上記ユーザーの体調を表わす指標を検知することができる。上記指標を取得ステップは、上記ウェアラブル端末から上記指標を取得することを含む。上記現在位置を取得ステップは、上記ウェアラブル端末から上記現在位置することを含む。
【００１５】
他の局面に従うと、複数の画像形成装置と通信することが可能なコンピュータの制御方法は、印刷要求を受け付けるステップと、上記コンピュータのユーザーの健康状態を表わす指標を取得するステップと、上記ユーザーの現在位置を取得するステップと、上記複数の画像形成装置の各々の設置場所を取得するステップと、上記ユーザーが動くことを推奨する予め定められた条件を上記指標が満たした場合に、上記現在位置と上記複数の画像形成装置の各々の設置場所とに基づいて、上記複数の画像形成装置の中から、上記現在位置から相対的に遠い場所に設置されている画像形成装置を上記印刷要求の出力先として決定するステップと、上記出力先として決定された画像形成装置に上記印刷要求を送信するステップとを備える。
【００１６】
さらに他の局面に従うと、複数の画像形成装置と通信することが可能なコンピュータの通信端末は、印刷要求を受け付ける受付部と、上記コンピュータのユーザーの健康状態を表わす指標を取得する指標取得部と、上記ユーザーの現在位置を取得する第１位置取得部と、上記複数の画像形成装置の各々の設置場所を取得する第２位置取得部と、上記ユーザーが動くことを推奨する予め定められた条件を上記指標が満たした場合に、上記現在位置と上記複数の画像形成装置の各々の設置場所とに基づいて、上記複数の画像形成装置の中から、上記現在位置から相対的に遠い場所に設置されている画像形成装置を上記印刷要求の出力先として決定する決定部と、上記出力先として決定された画像形成装置に上記印刷要求を送信する通信部とを備える。
【発明の効果】
【００１７】
ある局面において、ユーザーの健康状態に合わせて出力先の画像形成装置を変更することができる。
【００１８】
本発明の上記および他の目的、特徴、局面および利点は、添付の図面と関連して理解される本発明に関する次の詳細な説明から明らかとなるであろう。
【図面の簡単な説明】
【００１９】
【図１】情報処理システムのシステム構成の一例を示す図である。
【図２】コンピュータの機能構成の一例を示す図である。
【図３】ユーザーの現在位置と、画像形成装置の設置場所との関係を示す図である。
【図４】出力先の画像形成装置を表示している様子を示す図である。
【図５】情報処理システムの主要なハードウェア構成を示すブロック図である。
【図６】情報処理システムのデータの流れを示すシーケンス図である。
【図７】コンピュータが実行する処理の一部を表わすフローチャートである。
【発明を実施するための形態】
【００２０】
以下、図面を参照しつつ、本発明に従う各実施の形態について説明する。以下の説明では、同一の部品および構成要素には同一の符号を付してある。それらの名称および機能も同じである。したがって、これらについての詳細な説明は繰り返さない。なお、以下で説明される各実施の形態および各変形例は、適宜選択的に組み合わされてもよい。
【００２１】
［システム構成］
図１を参照して、本実施の形態に従う情報処理システム５００について説明する。図１は、情報処理システム５００のシステム構成の一例を示す図である。
【００２２】
図１に示されるように、情報処理システム５００は、たとえば、通信端末としてのコンピュータ１００と、ウェアラブル端末２００と、画像形成装置３００Ａ〜３００Ｃとで構成されている。コンピュータ１００は、ウェアラブル端末２００および画像形成装置３００Ａ〜３００Ｃにネットワークを介して接続されている。
【００２３】
図１には、情報処理システム５００が１つのコンピュータ１００で構成されている例が示されているが、情報処理システム５００は、複数のコンピュータ１００で構成されてもよい。図１には、情報処理システム５００が１つのウェアラブル端末２００で構成されている例が示されているが、情報処理システム５００は、複数のウェアラブル端末２００で構成されてもよい。図１には、情報処理システム５００が３つの画像形成装置３００Ａ〜３００Ｃで構成されている例が示されているが、情報処理システム５００は、２つ以上の画像形成装置で構成されればよい。
【００２４】
図１には、ノートパソコンとしてもコンピュータ１００が示されているが、コンピュータ１００は、ノートパソコンに限定されない。たとえば、コンピュータ１００は、デスクトップ型のパソコン、スマートフォン、タブレット端末、デジタルカメラ、電子辞書、または、ウェアラブル端末２００および画像形成装置３００Ａ〜３００Ｃと通信可能な他の通信端末であってもよい。
【００２５】
コンピュータ１００は、自身に保存されているファイル（たとえば、画像や文書など）に対する印刷指示をユーザーから受け付けることができる。印刷指示は、コンピュータ１００に接続されているマウス（図示しない）によって入力される。あるいは、ディスプレイ１０７がタッチパネルとして構成されている場合、印刷指示は、ディスプレイ１０７に対するタッチ操作により入力される。コンピュータ１００は、ユーザーによって指定されたファイルの印刷要求を画像形成装置３００Ａ〜３００Ｃのいずれかに送信する。画像形成装置３００Ａ〜３００Ｃの中から出力先の画像形成装置を決定する方法については後述する。
【００２６】
図１には、腕時計型のウェアラブル端末２００が示されているが、ウェアラブル端末２００は、腕時計型のウェアラブル端末２００に限定されない。たとえば、ウェアラブル端末２００は、ＨＭＤ（Head  Mounted  Display）型のウェアラブル端末、またはユーザーの他の身体部位（たとえば、足など）に装着され得る携帯端末であってもよい。
【００２７】
腕時計型のウェアラブル端末２００は、ユーザーの腕に装着される。ウェアラブル端末２００は、ユーザーの健康状態を示す指標（以下、「健康指標」ともいう。）を検知する。健康指標は、たとえば、ユーザーの歩数、心拍数、視線、眼筋電位などである。ウェアラブル端末２００に検知された健康指標は、ウェアラブル端末２００のディスプレイ２０７に表示される。また、ウェアラブル端末２００に検知された健康指標は、コンピュータ１００に送信される。
【００２８】
［コンピュータ１００の機能構成］
図２〜図４を参照して、図１に示されるコンピュータ１００の機能構成について説明する。図２は、コンピュータ１００の機能構成の一例を示す図である。図２に示される各機能構成の一部または全部は、たとえば、コンピュータ１００のプリンタドライバ（図示しない）に実装される。あるいは、図２に示される各機能構成の一部または全部は、専用のハードウェアに実装される。あるいは、少なくとも１つのサーバーがコンピュータ１００の処理の一部を実行する所謂クラウドサービスのような形態でコンピュータ１００が構成されてもよい。
【００２９】
図２に示されるように、コンピュータ１００は、受付部１５０と、指標取得部１５２と、位置取得部１５４，１５６と、決定部１５８と、通信部１６０と、判断部１６２と、表示制御部１６４とを含む。
【００３０】
受付部１５０は、コンピュータ１００のユーザーから印刷指示を受け付ける。印刷指示は、たとえば、コンピュータ１００のディスプレイ１０７（図１参照）に表示される印刷画面である。印刷画面は、印刷対象のファイルに対して印刷操作が実行された場合に表示される。
【００３１】
指標取得部１５２は、コンピュータ１００のユーザーの健康状態を表わす指標（すなわち、健康指標）を取得する。一例として、健康指標は、ウェアラブル端末２００（図１参照）から取得される。指標取得部１５２は、取得した健康指標を決定部１５８に出力する。
【００３２】
位置取得部１５４（第１位置取得部）は、コンピュータ１００のユーザーの現在位置を取得する。ユーザーの現在位置は、たとえば、座標値で表わされる。ある局面において、ユーザーの現在位置は、ウェアラブル端末２００に搭載されているＧＰＳモジュール２０８（図５参照）から取得される。他の局面において、ＧＰＳモジュールなどの位置検知装置（図示しない）がコンピュータ１００に搭載されており、位置取得部１５４は、当該位置検知装置からユーザーの現在位置を取得する。さらに他の局面において、タグがユーザーに保持されており、タグが近接したことを検知するための検知装置がコンピュータ１００の近くに設置されている場合、位置取得部１５４は、タグが近接したことを検知装置から受信することで、ユーザーの現在位置を取得する。位置取得部１５４は、電磁波測距法などの位置検知手段によってユーザーの位置を取得してもよい。位置取得部１５４は、取得した現在位置を決定部１５８に出力する。
【００３３】
位置取得部１５６（第２位置取得部）は、コンピュータ１００にネットワーク接続されている画像形成装置３００Ａ〜３００Ｃ（図１参照）の各々の設置場所を取得する。各画像形成装置の設置場所は、たとえば、座標値で表わされる。ある局面において、コンピュータ１００の記憶装置１２０（図５参照）には、各画像形成装置の設置場所１２４（図５参照）が予め登録されている。設置場所１２４は、たとえばマップ情報として登録されている。位置取得部１５６は、設置場所１２４を参照することで、画像形成装置の各設置場所を取得する。他の局面において、ＧＰＳモジュールなどの位置検知装置（図示しない）が各画像形成装置に搭載されており、位置取得部１５６は、各画像形成装置に搭載される位置検知装置から各設置場所を取得する。位置取得部１５６は、取得した各設置位置を決定部１５８に出力する。さらに他の局面において、画像形成装置の設置場所が各画像形成装置に予め登録されており、位置取得部１５６は、各画像形成装置から各設置場所を取得してもよい。
【００３４】
決定部１５８は、コンピュータ１００のユーザーが動くことを推奨する予め定められた条件（以下、「歩行推奨条件」ともいう。）を健康指標が満たした場合に、ユーザーの現在位置と画像形成装置３００Ａ〜３００Ｃの各設置場所とに基づいて、画像形成装置３００Ａ〜３００Ｃの中から、現在位置から相対的に遠い場所に設置されている画像形成装置を印刷要求の出力先として決定する。現在位置から相対的に遠い場所に設置されている画像形成装置から印刷結果が出力されることで、ユーザーの歩行距離が長くなり、運動不足が解消される。また、ユーザーの気分がリフレッシュされ、仕事の効率が改善される。
【００３５】
図３を参照して、出力先の画像形成装置を決定する方法について説明する。図３は、ユーザーの現在位置と、画像形成装置３００Ａ〜３００Ｃの設置場所との関係を示す図である。
【００３６】
決定部１５８は、ユーザーから各画像形成装置までの距離に基づいて、出力先の画像形成装置を決定する。より具体的には、決定部１５８は、ユーザーの現在位置と、画像形成装置３００Ａの設置場所とに基づいて、ユーザーから画像形成装置３００Ａまでの距離ＤＡを算出する。決定部１５８は、ユーザーの現在位置と、画像形成装置３００Ｂの設置場所とに基づいて、ユーザーから画像形成装置３００Ｂまでの距離ＤＢを算出する。決定部１５８は、ユーザーの現在位置と、画像形成装置３００Ｃの設置場所とに基づいて、ユーザーから画像形成装置３００Ｃまでの距離ＤＣを算出する。
【００３７】
決定部１５８は、距離ＤＡ〜ＤＣの中から一番長い距離ＤＣを特定し、一番遠い場所に設置されている画像形成装置３００Ｃを印刷の出力先として決定する。なお、出力先の画像形成装置は、必ずしも、一番遠い画像形成装置に決定される必要はない。画像形成装置３００Ａ〜３００Ｃの中から、現在位置から相対的に遠い場所に設置されている画像形成装置が出力先として決定されればよい。たとえば、出力先の画像形成装置は、印刷設定で出力先として設定されている画像形成装置よりも遠い画像形成装置のいずれかに決定されてもよい。あるいは、気分転換には１０分程度の散歩が有効であるため、片道５分程度の場所に設置されている画像形成装置が出力先として決定されてもよい。あるいは、決定部１５８は、距離ＤＡ〜距離ＤＣの内に基づいて、予め定められた距離以上離れている画像形成装置を出力先の候補として特定し、当該候補の内の一番近い画像形成装置を出力先として決定してもよい。あるいは、決定部１５８は、当該出力先の候補の内からユーザーによって選択された画像形成装置を出力先として決定してもよい。
【００３８】
好ましくは、印刷禁止対象であるか否かが、画像形成装置３００Ａ〜３００Ｃの各々について設定されている。当該設定は、ユーザーによって設定される。決定部１５８は、出力先として決定された画像形成装置が印刷禁止対象として設定されている場合には、出力先として決定された画像形成装置の次に現在位置から遠い場所に設置されている画像形成装置を印刷要求の出力先として決定し直す。たとえば、画像形成装置３００Ｃが印刷禁止態様として設定されている場合には、決定部１５８は、画像形成装置３００Ｃの次に遠い場所に設置されている画像形成装置３００Ｂを新たな出力先として決定し直す。なお、決定部１５８は、出力先として決定された画像形成装置３００Ｃの最寄りに設置されている画像形成装置を新たな出力先として決定し直してもよい。
【００３９】
通信部１６０は、決定部１５８によって出力先として決定された画像形成装置に印刷要求を送信する。印刷要求は、後述する通信インターフェイス１０４（図５参照）を介して出力先の画像形成装置に送信される。
【００４０】
判断部１６２は、ファイルの印刷指示を受け付けた場合に、当該ファイルの内容に基づいて、当該ファイルが秘匿であるか否かを判断する。ある局面において、判断部１６２は、ファイルの本文に予め定められたワードが含まれる場合に、ファイルが秘匿であると判断する。予め定められたワードは、たとえば、印刷対象のファイルが秘匿であることを示すワードである。当該ワードは、たとえば、「極秘」、「Confidencial」、「社外厳禁」などである。他の局面において、判断部１６２は、印刷対象のファイルにタイトルページに今日の日付が含まれている場合に、ファイルが秘匿であると判断する。判断部１６２による判断結果は、決定部１５８に出力される。
【００４１】
ある局面において、決定部１５８は、判断部１６２によって印刷対象のファイルが秘匿であると判断された場合には、上記歩行推奨条件が満たされたか否かに関わらず、現在位置から予め定められた範囲内に設置されている画像形成装置を印刷要求の出力先として決定する。好ましくは、この場合には、決定部１５８は、現在位置から一番近い画像形成装置を出力先の画像形成装置として決定する。図３の例では、決定部１５８は、距離ＤＡ〜ＤＣの中から一番短い距離ＤＡを特定し、一番近い画像形成装置３００Ａを印刷の出力先として決定する。他の局面において、決定部１５８は、判断部１６２によって印刷対象のファイルが秘匿であると判断された場合には、上記歩行推奨条件が満たされたか否かに関わらず、予め設定されている画像形成装置を印刷要求の出力先として決定する。
【００４２】
表示制御部１６４は、決定部１５８によって決定された出力先の画像形成装置の設置場所をディスプレイ１０７（図１参照）に表示させる。図４は、出力先の画像形成装置を表示している様子を示す図である。
【００４３】
図４に示されるように、表示制御部１６４は、現在位置から出力先の画像形成装置までのルート３２を表示する。ルート３２は、マップ画像５７上に表示される。マップ画像５７は、コンピュータ１００などに予め格納されている。マップ画像５７は、たとえば、建屋を表わす画像、フロアマップ、または座席表である。マップ画像５７の各場所は、位置情報に対応付けられている。当該位置情報は、たとえば、座標値で表わされる。これにより、マップ画像５７の各場所の位置が座標値で特定される。コンピュータ１００は、マップ画像５７内の各場所から、画像形成装置３００Ａ〜３００Ｃの設置場所に一致する場所を特定し、特定したマップ画像５７上の各場所に画像形成装置３００Ａ〜３００Ｃのそれぞれを表わす画像３０Ａ〜３０Ｃを配置する。その上で、コンピュータ１００は、出力先の画像形成装置までのルート３２を表示する。
【００４４】
なお、現在位置から出力先の画像形成装置までのルートは、必ずしも、コンピュータ１００のディスプレイ１０７に表示される必要はなく、たとえば、ウェアラブル端末２００のディスプレイ２０７（図１参照）に表示されてもよい。好ましくは、ウェアラブル端末２００のディスプレイ２０７は、出力先の画像形成装置の方向を矢印などで表示する。ユーザーは、ウェアラブル端末２００に表示される矢印の方向に従って出力先の画像形成装置まで誘導される。
【００４５】
［歩行推奨条件］
以下では、上述の歩行推奨条件について説明する。上述したように、歩行推奨条件が満たされたか否かは、ウェアラブル端末２００によって検知された健康指標に基づいて判断される。
【００４６】
ある局面において、健康指標は、ユーザーの現在から過去一定期間（たとえば、今日）の歩数である。歩行推奨条件は、ユーザーの歩数が予め定められた歩数（たとえば、１００００歩）よりも少ない場合に満たされる。当該予め定められた歩数は、目標歩数としてコンピュータ１００またはウェアラブル端末２００に予め設定されている。ユーザーの現在までの歩数が目標歩数よりも少ない場合に、ユーザーが運動不足である判断される。
【００４７】
好ましくは、歩行推奨条件が満たされたか否かは、ユーザーの今後のスケジュールに応じて決定される。より具体的な処理について説明する。コンピュータ１００には、スケジュールアプリがインストールされていとする。スケジュールアプリは、たとえば、Ｏｕｔｌｏｏｋなどである。スケジュールアプリには、スケジュールが登録され得る。登録され得るスケジュールとしては、たとえば、通勤、会議、生活（たとえば、トイレや喫煙、食事休憩）などが挙げられる。各スケジュールには、開始時刻と終了時刻とが登録され得る。コンピュータ１００は、現在時刻がスケジュールの開始時刻になると、当該スケジュールの終了時刻までユーザーの歩数をカウントする。コンピュータ１００は、カウントした歩数を、当該スケジュールの種類と対応付けて履歴として格納する。コンピュータ１００は、過去と同一のスケジュールが今後のスケジュールに入っている場合、当該過去のスケジュールに対応付けられている歩数を今後のスケジュールで達成され得る歩数として推定する。コンピュータ１００は、目標歩数から、当該推定された歩数を減算する。コンピュータ１００は、ユーザーの現在の歩数が減算結果よりも低い場合に、歩行推奨条件が満たされたと判断する。
【００４８】
他の局面において、健康指標は、ユーザーの現在の心拍数（脈拍数）である。歩行推奨条件は、ユーザーの心拍数が予め定められた正常範囲に含まれないときに満たされる。当該正常範囲は、予め設定されている。なお、歩行推奨条件は、ユーザーの心拍数が予め定められた異常範囲に含まれるときに満たされてもよい。
【００４９】
さらに他の局面において、健康指標は、ユーザーの現在の集中度合いである。歩行推奨条件は、ユーザーの現在の集中度合いが予め定められた値よりも低い場合に満たされる。ユーザーの集中力が低下している場合に、遠くに設置されている画像形成装置から印刷結果が出力されることで、歩行距離が長くなる。これにより、気分がリフレッシュされ、集中力の低下が改善される。集中度合いの測定方法は、任意である。一例として、コンピュータ１００は、ユーザーの心拍数、眼筋電位、または視線に基づいてユーザーの集中度合いを測定する。
【００５０】
たとえば、集中度合いの測定に心拍数が用いられる場合、心拍数が予め定められた正常範囲から離れるほど、集中度合いは、低くなるように算出される。ユーザーの心拍数は、たとえば心拍計によって検知される。心拍計は、後述するセンサー２０５（図５参照）に対応する。
【００５１】
集中度合いの測定に眼筋電位が用いられる場合、眼筋電位が予め定められた正常範囲から離れるほど、集中度合いは、低くなるように算出される。眼筋電位は、たとえば筋電位センサー（図示しない）によって検知される。
【００５２】
集中度合いの測定に視線が用いられる場合、視線の振れが大きくなるほど、集中度合いは、低くなるように算出される。ユーザーの視線は、たとえばカメラ１０６（図５参照）によって撮影されたユーザーの画像から検知される。より具体的には、コンピュータ１００は、カメラ１０６から得られた画像情報からユーザーの瞳を検知する。ユーザーの瞳の検知方法は、テンプレートマッチングなどの画像処理技術が用いられる。コンピュータ１００は、ユーザーの瞳の軌跡を追跡し、当該軌跡の揺れ度合いからユーザーの集中度合いを算出する。当該揺れ度合いが大きいほど、集中度合いは、低くなるように算出される。
【００５３】
［ハードウェア構成］
図５を参照して、情報処理システム５００のハードウェア構成の一例について説明する。図５は、情報処理システム５００の主要なハードウェア構成を示すブロック図である。
【００５４】
図５に示されるように、情報処理システム５００は、コンピュータ１００と、ウェアラブル端末２００と、画像形成装置３００とを備える。画像形成装置３００は、上述の画像形成装置３００Ａ〜３００Ｃ（図１参照）に対応する。コンピュータ１００は、ウェアラブル端末２００および画像形成装置３００にネットワークを介して接続されている。
【００５５】
以下では、コンピュータ１００、ウェアラブル端末２００、および画像形成装置３００のハードウェア構成について順に説明する。
【００５６】
（コンピュータ１００のハードウェア構成）
図５に示されるように、コンピュータ１００は、制御装置１０１と、ＲＯＭ（Read  Only  Memory）１０２と、ＲＡＭ（Random  Access  Memory）１０３と、通信インターフェイス１０４と、カメラインターフェイス１０５と、カメラ１０６と、ディスプレイ１０７と、記憶装置１２０とを含む。
【００５７】
制御装置１０１は、たとえば、少なくとも１つの集積回路によって構成される。集積回路は、たとえば、少なくとも１つのＣＰＵ（Central  Processing  Unit）、少なくとも１つのＡＳＩＣ（Application  Specific  Integrated  Circuit）、少なくとも１つのＦＰＧＡ（Field  Programmable  Gate  Array）、またはそれらの組み合わせなどによって構成される。
【００５８】
通信インターフェイス１０４は、アンテナ（図示しない）を介して、他の通信機器との間でデータを送受信する。他の通信機器は、たとえば、ウェアラブル端末２００、画像形成装置３００、他の情報通信装置などを含む。コンピュータ１００は、通信インターフェイス１０４を介して、本実施の形態に従う制御プログラム１２２をダウンロードできるように構成されてもよい。
【００５９】
カメラインターフェイス１０５は、コンピュータ１００とカメラ１０６とを接続するためのインターフェイスである。カメラ１０６は、ユーザーを定期的に撮影し、ユーザーを表わす画像を順次生成する。生成された画像は、上述したようにユーザーの集中度合いを測定するために用いられる。なお、コンピュータ１００およびカメラ１０６は、別個に構成されてもよいし、図５に示されるように一体に構成されてもよい。
【００６０】
ディスプレイ１０７は、たとえば、液晶ディスプレイ、有機ＥＬ（Electro  Luminescence）ディスプレイ、またはその他の表示機器である。一例として、ディスプレイ１０７は、タッチパネル（図示しない）に重ねられており、コンピュータ１００に対する指示をタッチ操作で受け付ける。コンピュータ１００のユーザーは、画像形成装置３００に対する印刷指示やスキャン指示などをタッチ操作で実行することができる。
【００６１】
記憶装置１２０は、たとえば、ハードディスクや外付けの記憶装置などの記憶媒体である。一例として、記憶装置１２０は、本実施の形態に従う制御プログラム１２２や画像形成装置３００の設置場所１２４などを格納する。制御プログラム１２２および設置場所１２４の格納場所は、記憶装置１２０に限定されず、たとえば、制御装置１０１の記憶領域（たとえば、キャッシュなど）、ＲＯＭ１０２、ＲＡＭ１０３、または外部記憶装置などに格納されてもよい。
【００６２】
なお、制御プログラム１２２は、単体のプログラムとしてではなく、任意のプログラムの一部に組み込まれて提供されてもよい。この場合、任意のプログラムと協働して本実施の形態に従う制御処理が実現される。このような一部のモジュールを含まないプログラムであっても、本実施の形態に従うコンピュータ１００の趣旨を逸脱するものではない。さらに、本実施の形態に従う制御プログラム１２２によって提供される機能の一部または全部は、専用のハードウェアによって実現されてもよい。さらに、コンピュータ１００とウェアラブル端末２００と画像形成装置３００とが協働して、制御プログラム１２２によって提供される機能の一部または全部が実現されてもよい。さらに、少なくとも１つのサーバーが本実施の形態に従う処理を実現する所謂クラウドサービスのような形態でコンピュータ１００が構成されてもよい。
【００６３】
（ウェアラブル端末２００のハードウェア構成）
引き続き図５を参照して、ウェアラブル端末２００のハードウェア構成について説明する。ウェアラブル端末２００は、制御装置２０１と、ＲＯＭ２０２と、ＲＡＭ２０３と、通信インターフェイス２０４と、センサー２０５と、ディスプレイ２０７と、ＧＰＳモジュール２０８と、記憶装置２２０とを含む。
【００６４】
制御装置２０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【００６５】
制御装置２０１は、ウェアラブル端末２００を制御するための制御プログラム２２２を実行することでウェアラブル端末２００の動作を制御する。制御装置２０１は、制御プログラム２２２の実行命令を受け付けたことに基づいて、記憶装置２２０からＲＯＭ２０２に制御プログラム２２２を読み出す。ＲＡＭ２０３は、ワーキングメモリとして機能し、制御プログラム２２２の実行に必要な各種データを一時的に格納する。
【００６６】
通信インターフェイス２０４は、コンピュータ１００とウェアラブル端末２００との間の通信を実現するための装置である。通信インターフェイス２０４には、たとえば、アンテナ（図示しない）が接続される。コンピュータ１００とウェアラブル端末２００との間の通信は、無線通信によって実現される。無線通信の規格としては、たとえば、ＷｉｆｉダイレクトやＢｌｕｅｔｏｏｔｈ（登録商標）などが採用される。
【００６７】
センサー２０５は、ユーザーの健康指標を検知する。ある局面において、センサー２０５は加速度センサーであり、健康指標は歩数である。加速度センサーによって検知された加速度は、制御装置２０１に出力される。制御装置２０１は、加速度センサーによって検知された加速度の内から、上下方向（すなわち、鉛直方向）の加速度を抽出する。ユーザーが歩行している場合には、上下方向の加速度が周期的に変化する。この点に着目して、制御装置２０１は、上下方向の加速度の１周期を１歩としてカウントする。カウントされた歩数は、通信インターフェイス２０４を介してコンピュータ１００に送信される。
【００６８】
他の局面において、センサー２０５は、ユーザーの心拍数を検知するための心拍計である。心拍計は、ウェアラブル端末２００の裏面に設けられる。裏面とは、ウェアラブル端末２００の装着時にユーザーに接触する面のことをいう。検知された心拍数は、通信インターフェイス２０４を介してコンピュータ１００に送信される。
【００６９】
ディスプレイ２０７は、たとえば、液晶ディスプレイ、有機ＥＬディスプレイ、またはその他の表示機器である。ディスプレイ２０７は、タッチパネル（図示しない）に重ねられており、ウェアラブル端末２００に対する指示をタッチ操作で受け付ける。
【００７０】
ＧＰＳモジュール２０８は、アンテナ（図示しない）を介して複数の衛星のそれぞれから電波を受信する。ＧＰＳモジュール２０８は、各電波が発せられてから当該電波を受信するまでの各時間に基づいて、ウェアラブル端末２００の現在位置を検知する。当該現在位置は、座標値（緯度および経度など）で表わされる。
【００７１】
記憶装置２２０は、たとえば、ｅＭＭＣ（Embedded  MultiMediaCard）などの記憶媒体である。一例として、記憶装置２２０は、制御プログラム２２２やウェアラブル端末２００のユーザー情報２２４などを格納する。ユーザー情報２２４は、たとえば、ユーザーＩＤ（Identification）やユーザーの名前などを含む。制御プログラム２２２およびユーザー情報２２４の格納場所は、記憶装置２２０に限定されず、たとえば、制御装置２０１の記憶領域（たとえば、キャッシュなど）、ＲＯＭ２０２、ＲＡＭ２０３、または外部記憶装置などに格納されてもよい。
【００７２】
（画像形成装置３００のハードウェア構成）
引き続き図５を参照して、画像形成装置３００のハードウェア構成について説明する。画像形成装置３００は、制御装置３０１と、ＲＯＭ３０２と、ＲＡＭ３０３と、通信インターフェイス３０４と、プリンタ３０５と、スキャナ３０６と、ディスプレイ３０７と、記憶装置３２０とを含む。
【００７３】
制御装置３０１は、たとえば、少なくとも１つの集積回路によって構成される。集積回路は、たとえば、少なくとも１つのＣＰＵ、少なくとも１つのＡＳＩＣ、少なくとも１つのＦＰＧＡ、またはそれらの組み合わせなどによって構成される。
【００７４】
制御装置３０１は、画像形成装置３００を制御するための制御プログラム３２２を実行することで画像形成装置３００の動作を制御する。制御装置３０１は、制御プログラム３２２の実行命令を受け付けたことに基づいて、記憶装置３２０からＲＯＭ３０２に制御プログラム３２２を読み出す。ＲＡＭ３０３は、ワーキングメモリとして機能し、制御プログラム３２２の実行に必要な各種データを一時的に格納する。
【００７５】
通信インターフェイス３０４は、コンピュータ１００と画像形成装置３００との間の通信を実現するための装置である。ある局面において、通信インターフェイス３０４にはアンテナ（図示しない）が接続される。コンピュータ１００と画像形成装置３００との間の通信は、無線通信によって実現される。無線通信の規格としては、たとえば、ＷｉｆｉダイレクトやＢｌｕｅｔｏｏｔｈなどが採用される。他の局面において、通信インターフェイス３０４はＵＳＢ（Universal  Serial  Bus）ポートである。ＵＳＢポートには、ＵＳＢケーブルが接続される。コンピュータ１００と画像形成装置３００とはＵＳＢケーブルを介してネットワーク接続される。
【００７６】
プリンタ３０５は、たとえば電子写真方式により、スキャナ３０６で読み取られた画像データや、他の通信機器から送信されたプリントデータを、印刷のためのデータに変換し、変換後のデータに基づいて文書などの画像を印刷する装置である。プリンタ３０５の印刷機能は、たとえばコンピュータ１００から印刷要求を受信したことに基づいて実行される。
【００７７】
スキャナ３０６は、画像形成装置３００にセットされた原稿を光学的に読み取って、原稿の画像データを生成する。スキャナ３０６のスキャン機能は、たとえばコンピュータ１００からスキャン要求を受信したことに基づいて実行される。
【００７８】
ディスプレイ３０７は、たとえば、液晶ディスプレイ、有機ＥＬディスプレイ、またはその他の表示機器である。一例として、ディスプレイ３０７は、タッチパネル（図示しない）に重ねられており、画像形成装置３００に対する印刷指示やスキャン指示をタッチ操作で受け付ける。
【００７９】
記憶装置３２０は、たとえば、ハードディスクや外付けの記憶装置などの記憶媒体である。一例として、記憶装置３２０は、制御プログラム３２２などを格納する。制御プログラム３２２の格納場所は、記憶装置３２０に限定されず、たとえば、制御装置３０１の記憶領域（たとえば、キャッシュなど）、ＲＯＭ３０２、ＲＡＭ３０３、または外部記憶装置などに格納されてもよい。
【００８０】
［情報処理システム５００のデーターフロー］
図６を参照して、情報処理システム５００におけるデータの流れについて説明する。図６は、情報処理システム５００のデータの流れを示すシーケンス図である。
【００８１】
ステップＳ１０において、コンピュータ１００は、ウェアラブル端末２００のユーザー情報を受信する。当該ユーザー情報は、たとえば、ユーザーＩＤやユーザーの名前などを含む。一例として、当該ユーザー情報は、ウェアラブル端末２００に予め登録されている。ユーザー情報がウェアラブル端末２００に登録されていない場合には、コンピュータ１００は、ユーザー情報の登録を受け付けてもよい。この場合、コンピュータ１００は、登録画面を表示し、当該登録画面に対する入力事項をユーザー情報として記憶する。
【００８２】
ステップＳ１２において、コンピュータ１００は、センサー２０５（図５参照）によって検知されたユーザーの健康指標をウェアラブル端末２００から受信する。
【００８３】
ステップＳ１４において、コンピュータ１００は、ステップＳ１０でウェアラブル端末２００から受信したユーザー情報に、ステップＳ１２でウェアラブル端末２００から受信した健康指標を互いに関連付け、当該ユーザー情報および当該健康指標を履歴情報（図示しない）に追加する。
【００８４】
ステップＳ１６において、コンピュータ１００は、ＧＰＳモジュール２０８（図５参照）によって検知されたユーザーの現在位置をウェアラブル端末２００から受信する。
【００８５】
ステップＳ２０において、コンピュータ１００は、記憶装置１２０（図５参照）から各画像形成装置の設置場所１２４を取得し、ユーザーの現在位置から各画像形成装置までの距離を算出する。
【００８６】
ステップＳ２２において、コンピュータ１００は、ユーザーの現在位置から各画像形成装置までの距離に基づいて、出力先の画像形成装置を決定する。出力先の画像形成装置の決定方法は上述の通りであるので、その説明については繰り返さない。一例として、コンピュータ１００は、画像形成装置３００Ｃを出力先として決定したとする。
【００８７】
ステップＳ２４において、コンピュータ１００は、印刷設定画面を表示する。印刷設定画面は、印刷枚数などの印刷設定の入力を受け付ける。このとき、印刷設定画面は、ステップＳ２２で決定された出力先の画像形成装置３００Ｃを表示する。
【００８８】
ステップＳ２６において、ユーザーが印刷設定画面に印刷実行操作（たとえば、印刷ボタンの押下など）を行なうと、コンピュータ１００は、ステップＳ２２で出力先として決定された画像形成装置３００Ｃに印刷要求を送信する。
【００８９】
ステップＳ３０において、コンピュータ１００は、現在位置から出力先の画像形成装置までのルートを表示する。このとき、ウェアラブル端末２００が、現在位置から出力先の画像形成装置までのルートを表示してもよい。
【００９０】
［コンピュータ１００の制御構造］
図７を参照して、コンピュータ１００の制御構造について説明する。図７は、コンピュータ１００が実行する処理の一部を表わすフローチャートである。図７の処理は、コンピュータ１００の制御装置１０１（図５参照）がプログラムを実行することにより実現される。他の局面において、処理の一部または全部が、回路素子またはその他のハードウェアによって実行されてもよい。
【００９１】
ステップＳ１００において、制御装置１０１は、受付部１５０（図２参照）として、ユーザーから印刷指示を受け付けたか否かを判断する。制御装置１０１は、ユーザーから印刷指示を受け付けたと判断した場合（ステップＳ１００においてＹＥＳ）、制御をステップＳ１１０に切り替える。そうでない場合には（ステップＳ１００においてＮＯ）、制御装置１０１は、ステップＳ１００の処理を再び実行する。
【００９２】
ステップＳ１１０において、制御装置１０１は、画像形成装置の出力先を変更する機能が有効に設定されているか否かを判断する。当該設定は、ユーザーによって無効および有効のいずれかに設定されている。制御装置１０１は、画像形成装置の出力先を変更する機能が有効に設定されていると判断した場合（ステップＳ１１０においてＹＥＳ）、制御をステップＳ１２０に切り替える。そうでない場合には（ステップＳ１１０においてＮＯ）、制御装置１０１は、制御をステップＳ１６０に切り替える。
【００９３】
ステップＳ１２０において、制御装置１０１は、ウェアラブル端末２００がコンピュータ１００の近くに存在するか否かを判断する。一例として、制御装置１０１は、通信確立要求をブロードキャストで送信する。ウェアラブル端末２００がコンピュータ１００の近くに存在する場合には、ウェアラブル端末２００は、通信確立要求に対する応答をコンピュータ１００に送信する。制御装置１０１は、通信確立要求に対する応答をウェアラブル端末２００から受信した場合に、ウェアラブル端末２００がコンピュータ１００の近くに存在すると判断する。制御装置１０１は、ウェアラブル端末２００がコンピュータ１００の近くに存在すると判断した場合（ステップＳ１２０においてＹＥＳ）、制御をステップＳ１３０に切り替える。そうでない場合には（ステップＳ１２０においてＮＯ）、制御をステップＳ１６０に切り替える。
【００９４】
ステップＳ１３０において、制御装置１０１は、判断部１６２（図２参照）として、印刷対象のファイルが秘匿対象のファイルであるか否かを判断する。制御装置１０１は、ファイルの本文に予め定められたワードが含まれる場合に、ファイルが秘匿であると判断する。当該予め定められたワードは、たとえば、「極秘」、「Confidential」、「社外厳禁」などである。制御装置１０１は、印刷対象のファイルが秘匿対象のファイルであると判断した場合（ステップＳ１３０においてＹＥＳ）、制御をステップＳ１６０に切り替える。そうでない場合には（ステップＳ１３０においてＮＯ）、制御装置１０１は、制御をステップＳ１３２に切り替える。
【００９５】
ステップＳ１３２において、制御装置１０１は、指標取得部１５２（図２参照）として、ユーザーの健康指標を取得する。一例として、ユーザーの健康指標は、ウェアラブル端末２００のセンサー２０５（図５参照）によって検知される。制御装置１０１は、センサー２０５（図５参照）によって検知された健康指標をウェアラブル端末２００から受信する。
【００９６】
ステップＳ１４０において、制御装置１０１は、ステップＳ１３２で取得したユーザーの健康指標が歩行推奨条件を満たしたか否かを判断する。一例として、当該健康指標は、ユーザーの今日の歩数であり、当該歩数が今日の目標歩数に達していない場合に歩行推奨条件が満たされる。制御装置１０１は、健康指標が歩行推奨条件を満たしたと判断した場合（ステップＳ１４０においてＹＥＳ）、制御をステップＳ１４２に切り替える。そうでない場合には（ステップＳ１４０においてＮＯ）、制御装置１０１は、制御をステップＳ１６０に切り替える。
【００９７】
ステップＳ１４２において、制御装置１０１は、位置取得部１５４（図２参照）として、ユーザーの現在位置を取得する。一例として、ユーザーの現在位置は、ウェアラブル端末２００のＧＰＳモジュール２０８（図５参照）によって検知される。制御装置１０１は、ＧＰＳモジュール２０８によって検知された現在位置をウェアラブル端末２００から受信する。
【００９８】
ステップＳ１４４において、制御装置１０１は、位置取得部１５６（図２参照）として、各画像形成装置の設置場所を取得する。一例として、各画像形成装置の設置場所は、コンピュータ１００の記憶装置１２０（図５参照）に設置場所１２４として格納されている。
【００９９】
ステップＳ１４６において、制御装置１０１は、決定部１５８（図２参照）として、ユーザーの現在位置と各画像形成装置の設置場所とに基づいて、出力候補の画像形成装置の中から、現在位置から相対的に遠い場所に設置されている画像形成装置を印刷要求の出力先として決定する。一例として、制御装置１０１は、現在位置から一番遠い場所に設置されている画像形成装置を出力先として決定する。このとき、決定された画像形成装置が印刷禁止対象として設定されている場合には、制御装置１０１は、当該出力先として決定された画像形成装置の次に遠い場所に設置されている画像形成装置を出力先として決定し直す。
【０１００】
ステップＳ１４８において、制御装置１０１は、通信部１６０（図２参照）として、ステップＳ１４６で決定された出力先の画像形成装置に印刷要求を送信する。印刷要求には、たとえば印刷対象のファイル（たとえば、文書や画像など）が含まれる。これにより、印刷対象として指定された文書や画像などが、印刷要求の送信先の画像形成装置から印刷される。
【０１０１】
ステップＳ１５０において、制御装置１０１は、表示制御部１６４として、現在位置から出力先の画像形成装置までのルートを表示する。
【０１０２】
ステップＳ１６０において、制御装置１０１は、予め設定されている画像形成装置に印刷要求を送信する。すなわち、制御装置１０１は、通常通りの印刷処理を実行する。
【０１０３】
［まとめ］
以上のようにして、コンピュータ１００は、ウェアラブル端末２００からユーザーの健康を表わす指標（すなわち、健康指標）を受信する。コンピュータ１００は、ユーザーが動くことを推奨する予め定められた条件（すなわち、歩行推奨条件）を健康指標が満たした場合に、各画像形成装置の中から、現在位置から相対的に遠い場所に設置されている画像形成装置を印刷要求の出力先として決定する。コンピュータ１００は、健康指標が歩行推奨条件を満たさない場合には、予め設定されている画像形成装置を印刷要求の出力先として決定する。コンピュータ１００は、出力先の画像形成装置に印刷要求を送信する。
【０１０４】
これにより、運動不足のユーザーにおいては、印刷結果は、より遠い場所に設置されている画像形成装置から出力される。その結果、歩行距離が長くなり、運動不足が解消される。一方で、運動不足ではない人物においては、印刷結果は、予め設定されている画像形成装置から出力される。このように、コンピュータ１００は、ユーザーの健康状態に合わせて出力先の画像形成装置を変更することができる。
【０１０５】
今回開示された実施の形態は全ての点で例示であって制限的なものではないと考えられるべきである。本発明の範囲は上記した説明ではなくて特許請求の範囲によって示され、特許請求の範囲と均等の意味および範囲内での全ての変更が含まれることが意図される。
【符号の説明】
【０１０６】
３０Ａ〜３０Ｃ  画像、３２  ルート、５７  マップ画像、１００  コンピュータ、１０１，２０１，３０１  制御装置、１０２，２０２，３０２  ＲＯＭ、１０３，２０３，３０３  ＲＡＭ、１０４，２０４，３０４  通信インターフェイス、１０５  カメラインターフェイス、１０６  カメラ、１０７，２０７，３０７  ディスプレイ、１２０，２２０，３２０  記憶装置、１２２，２２２，３２２  制御プログラム、１２４  設置場所、１５０  受付部、１５２  指標取得部、１５４，１５６  位置取得部、１５８  決定部、１６０  通信部、１６２  判断部、１６４  表示制御部、２００  ウェアラブル端末、２０５  センサー、２０８  ＧＰＳモジュール、２２４  ユーザー情報、３００，３００Ａ〜３００Ｃ  画像形成装置、３０５  プリンタ、３０６  スキャナ、５００  情報処理システム。
【図１】
0006561885.tif 000002
【図２】
0006561885.tif 000003
【図３】
0006561885.tif 000004
【図４】
0006561885.tif 000005
【図５】
0006561885.tif 000006
【図６】
0006561885.tif 000007
【図７】
0006561885.tif 000008